(57)【要約】      （修正有）【課題】自動販売機の物品吊り掛け装置、特に被吊り掛け物品（例えば傘）を自動販売機内に吊り掛けて販売に供する装置を提供する。【解決手段】自動販売機１の物品吊り掛け装置であり、該自動販売機両側内壁には異なる物品の重さを受けるＵ形フレーム２を設け、該Ｕフレームの一辺は吊り掛け辺２１とし、該吊り掛け辺の一端に切欠きを設け、吊り掛け辺に掛けた物品３を推進装置により該切欠きにまで推進させ落下させることを特徴とする、自動販売機の物品吊り掛け装置としている。【選択図】図１
0003120550.tif 000002
【実用新案登録請求の範囲】
【請求項１】
自動販売機の物品吊掛装置であり、該自動販売機両側内壁には異なる物品の重さを受けるＵ形フレームを設け、該Ｕフレームの一辺は吊掛辺とし、該吊掛辺の一端に切欠きを設け、吊掛辺に掛けた物品を推進装置により該切欠きにまで推進させ落下させることを特徴とする、自動販売機の物品吊掛装置。
【請求項２】
請求項１の自動販売機の物品吊掛装置において、そのうち、Ｕ形フレームに掛けた物品の推進装置はモーター軸と搬送バネを接続してなり、バネのピッチにより物品のフックを離間させると共に、該フックに当接し、モーターは搬送バネを駆動して回転させ、一定の距離で物品のフックをＵ形フレームの吊掛辺の切欠きまでゆっくり推進させることを特徴とする、自動販売機の物品吊掛装置。
【請求項３】
請求項１の自動販売機の物品吊掛装置において、Ｕ形フレームに二つの対向する突出部を設け、該突出部の間に固定ロッドを設け、該固定ロッドには二つの移動挟持部品を設け、更にもう一つの可動フレームを設け、該可動フレーム前端にはストッパロッドを設け、該ストッパロッドは両側辺の後端に接近する所定位置に支点を設けて突出部に枢設して、開けて降ろした状態とすることができ、可動フレームが降ろされるとき、前端のストッパロッドは物品のフック近くの上部に位置し、後部の脚部は固定ロッドの下部に当接し、移動挟持部品により固定され、これにより、ストッパロッドにより被吊掛物品の上部へ持ち上げを防止したことを特徴とする、自動販売機の物品吊掛装置。
【考案の詳細な説明】
【技術分野】
【０００１】
本考案は一種の自動販売機の物品吊掛装置に係り、特に、被吊掛物品（例えば傘）を自動販売機内に吊掛けて販売に供する装置に関する。
【背景技術】
【０００２】
現在、自動販売機で販売される物品は多いが、ほとんどは瓶或いは缶包装或いはアルミパックの飲料、インスタント麺、新聞、ティッシュペーパーなどの吊掛不能な物品であり、吊掛に供される物品（例えば傘）は、自動販売機で売られることはなく、このため、突然雨が降りだした時に、自動販売機で傘を買うことができない。このため自動販売機で販売される物品は普及しているが、雨の時に傘を持っていない場合に自動販売機で傘を購入することができず、不便であった。
【考案の開示】
【考案が解決しようとする課題】
【０００３】
本考案は周知の技術における、自動販売機が吊掛可能な物品（例えば傘）を販売できない欠点を鑑み、一種の自動販売機の物品吊掛装置を提供することを目的とする。それは、自動販売機内にＵ形フレームを取り付け、該Ｕ形フレームの吊掛辺の端部に切欠きを設け、物品のフック（例えば傘の柄）をＵ形フレームの吊掛辺に吊掛けられるようにし、モータの軸に搬送バネを接続してフック推進装置となし、並びにバネのピッチを利用し物品のフックを挟持し、モータが起動され並びに搬送バネを回転させ、一定の距離で物品のフックを逐次推進させる時に、最も切欠きに接近するフックを該切欠き位置に推進させて離脱、落下させて、該被吊掛物品の取り出しに供するようにしたものである。さらに、そのＵ形フレームに、可動フレームに取り付けたストッパロッドを設け、物品フックの上方に突き当たるようにし、被吊掛物品が上向きに取り出されるのを防止している。本考案の構造はこれまでになく、新規性と進歩性を具備し、且つ自動販売機でフックを具えた物品を販売できるようにする。
【課題を解決するための手段】
【０００４】
請求項１の考案は、自動販売機の物品吊掛装置であり、該自動販売機両側内壁には異なる物品の重さを受けるＵ形フレームを設け、該Ｕフレームの一辺は吊掛辺とし、該吊掛辺の一端に切欠きを設け、吊掛辺に掛けた物品を推進装置により該切欠きにまで推進させ落下させることを特徴とする、自動販売機の物品吊掛装置としている。
請求項２の考案は、請求項１の自動販売機の物品吊掛装置において、そのうち、Ｕ形フレームに掛けた物品の推進装置はモーター軸と搬送バネを接続してなり、バネのピッチにより物品のフックを離間させると共に、該フックに当接し、モーターは搬送バネを駆動して回転させ、一定の距離で物品のフックをＵ形フレームの吊掛辺の切欠きまでゆっくり推進させることを特徴とする、自動販売機の物品吊掛装置としている。
請求項３の考案は、請求項１の自動販売機の物品吊掛装置において、Ｕ形フレームに二つの対向する突出部を設け、該突出部の間に固定ロッドを設け、該固定ロッドには二つの移動挟持部品を設け、更にもう一つの可動フレームを設け、該可動フレーム前端にはストッパロッドを設け、該ストッパロッドは両側辺の後端に接近する所定位置に支点を設けて突出部に枢設して、開けて降ろした状態とすることができ、可動フレームが降ろされるとき、前端のストッパロッドは物品のフック近くの上部に位置し、後部の脚部は固定ロッドの下部に当接し、移動挟持部品により固定され、これにより、ストッパロッドにより被吊掛物品の上部へ持ち上げを防止したことを特徴とする、自動販売機の物品吊掛装置としている。
【考案の効果】
【０００５】
総合すると、本考案の自動販売機の物品吊掛装置は、Ｕ形フレームの一辺でフックを具えた物品を吊掛け、並びに該吊掛辺の末端に切欠きが設けられ、モータ軸に搬送バネを組み合わせたフック推進装置の推進作用により、被吊掛物品を一定の距離推進させて、最も切欠きに接近する被吊掛物品のフックを離脱、落下させ、取り出しに供する。Ｕ形フレームを利用し、並びにその吊掛辺末端に切欠きが設けられているため、その被吊掛物品が本来フックを具備する物品（例えば傘）であっても、或いはフックを具えた吊掛具に接続されて吊掛可能な携帯とされた物品であっても、本考案の技術思想の範囲内に属する。
【考案を実施するための最良の形態】
【０００６】
図１、２に示されるように、本考案の自動販売機の物品吊掛装置は、自動販売機１の両側壁間にＵ形フレーム２が固着され、該Ｕ形フレーム２の前辺が吊掛辺２１とされ、該吊掛辺２１の端部に切欠き２２が設けられ、被吊掛物品３（例えば傘）はそのフック３１により該Ｕ形フレーム２の吊掛辺２１に吊掛けられる。該Ｕ形フレーム２にモータ４の軸が搬送バネ５に接続されてなるフック推進装置が組み合わされ、並びに搬送バネ４のピッチを利用して物品のフック３１が保持され、即ち、サーボモータ４が起動され並びに搬送バネ５が回転して一定の距離を以て物品のフックを逐次推進させる時、その最も切欠き２２に接近するフック３１が切欠き２２位置に至る時に、フックが脱落して落下し、これにより被吊掛物品３を取り出すことができる。
【０００７】
前述のＵ形フレーム２には可動フレーム６と可動フレーム６前端に取り付けられたストッパロッド６１が取り付けられ、物品のフック３１の上方に当接し、Ｕ形フレームの後辺に二つの対向する突起部２３が設けられ、二つの突起部２３の間に固定ロッド２４が取り付けられ、該固定ロッド２４に二つの移動挟持部品７が取り付けられ、可動フレーム６は両側辺の後端近くの適宜位置を支点として二つの突起部２３の所定位置に枢設されて、開放されて下ろされた状態とされ得て、該可動フレーム６が下ろされた時、その前端のストッパロッド６１が物品のフック３１の上方位置に接近し、後端の脚部６２が固定ロッド２４の下方に当接し、それは移動挟持部品７で可動フレーム６の脚部６２を固定して可動フレーム６を固定し、ストッパロッド６１で物品フックに当接し、被吊掛物品が上向きに取り出されるのを防止する。本考案の構造はこれまでになく、新規性と進歩性を具え、実用価値を有する。
【図面の簡単な説明】
【０００８】
【図１】本考案の自動販売機内に固定された物品吊掛装置の表示図である。
【図２】本考案の自動販売機の物品吊掛装置の説明図である。
【符号の説明】
【０００９】
１  自動販売機
２  Ｕ形フレーム
３  吊掛物品
４  モータ
５  搬送バネ
６  可動フレーム
７  移動挟持部品
２１  吊掛辺
２２  切欠き
２４  固定ロッド
３１  フック
６１  ストッパロッド
６２  脚部
【図１】
0003120550.tif 000003
【図２】
0003120550.tif 000004